(57)【特許請求の範囲】
【請求項１】
眼科機器にて被検者に固視させるために使用される眼科機器用固視灯装置において、
被検者に固視させるための発光部と、
該発光部を支持する第１アームと、
第１関節部を介して前記第１アームを揺動自在に支持する第２アームと、
該第２アーム、前記第１関節部及び前記第１アームを介して前記発光部を支持する基台と、
を備え、
前記第１関節部は、前記第２アームに回転自在に支持されると共に前記第１アームを回転自在に支持する第１中継部を有し、
該第１中継部に対して回転する前記第１アームの回転軸と、前記第２アームに対して回転する前記第１中継部の回転軸とが、同一線上に配置されないように設定された、
ことを特徴とする眼科機器用固視灯装置。
【請求項２】
前記第１中継部に対して回転する前記第１アームの回転軸が前記発光部を通らないように設定された、
ことを特徴とする請求項１に記載の眼科機器用固視灯装置。
【請求項３】
前記第１アームが前記第１中継部に対して３６０度以上回転することを阻止するように該第１アームと該第１中継部との間に介装された第１ストッパ部材と、
前記第１中継部が前記第２アームに対して３６０度以上回転することを阻止するように該第１中継部と該第２アームとの間に介装された第２ストッパ部材と、
を備えた請求項１又は２に記載の眼科機器用固視灯装置。
【請求項４】
前記第１関節部とは異なる第２関節部を前記第２アームと前記基台との間に配置し、
該第２関節部に、前記第２アームを回転自在に支持する第２中継部を設け、
前記基台は、所定の軸の周りに３６０度以上回転できるように前記第２関節部を支持する、
ことを特徴とする請求項３に記載の眼科機器用固視灯装置。
【請求項５】
前記第１関節部とは異なる第２関節部を介して前記第２アームを揺動自在に支持する第３アーム、
を備え、
該第２関節部は、前記第３アームに回転自在に支持されると共に前記第２アームを回転自在に支持する第２中継部を有し、
該第２中継部に対して回転する前記第２アームの回転軸と、前記第３アームに対して回転する前記第２中継部の回転軸とが、同一線上に配置されないように設定された、
ことを特徴とする請求項１乃至３のいずれか１項に記載の眼科機器用固視灯装置。
【請求項６】
前記第２アームが前記第２中継部に対して３６０度以上回転することを阻止するように該第２アームと該第２中継部との間に介装された第３ストッパ部材と、
前記第２中継部が前記第３アームに対して３６０度以上回転することを阻止するように該第２中継部と該第３アームとの間に介装された第４ストッパ部材と、
を備えた請求項５に記載の眼科機器用固視灯装置。
【請求項７】
前記第３アームと前記基台との間に配置された第３関節部、を備え、
該第３関節部は、前記第３アームを回転自在に支持する第３中継部を有し、
前記基台は、所定の軸の周りに３６０度以上回転できるように前記第３関節部を支持する、
ことを特徴とする請求項５又は６に記載の眼科機器用固視灯装置。
【請求項８】
前記発光部は、自身が発光する発光体と、該発光体を覆うように配置されて該発光体からの光を拡散させて透過する拡散カバーと、を有する、
ことを特徴とする請求項１乃至７のいずれか１項に記載の眼科機器用固視灯装置。
【発明の詳細な説明】
【技術分野】
【０００１】
本発明は、眼底撮影装置やスリットランプ等の眼科機器にて使用される眼科機器用固視灯装置に関する。
【背景技術】
【０００２】
従来、眼底撮影装置やスリットランプ等の眼科機器では外部固視灯装置が使用されている（例えば、特許文献１及び２参照）。かかる外部固視灯装置は、
・  撮影や測定のために被検眼に可視光を照射する場合
・  眼科機器が被検眼用の固視灯装置（内部固視灯装置）をもともと装備していない場合
などの場合に他方の眼（つまり、撮影等が行われる被検眼ではない方の眼）で固視を行うために使用されるものである。
【０００３】
図４(a) は、眼科機器用固視灯装置の従来構造の一例を示す側面図であり、符号１００は固視灯装置を示し、符号１０１は基台を示し、符号１０２は、該基台１０１に回転自在に支持される中継アームを示し、符号１０３は、該中継アーム１０２に回転自在に支持される先端側アームを示し、符号１０４は、被検者に固視させるために該先端側アーム１０３に取付けられた発光部を示す。また、同図(b)
は、眼科機器用固視灯装置の従来構造の他の例を示す側面図であり、符号２００は固視灯装置を示し、符号２０１は基柱を示し、符号２０２は、該基柱２０１に回転自在に支持される中継アームを示し、符号２０３は、該中継アーム２０２に回転自在に支持される先端側アームを示し、符号２０４は、被検者に固視させるために該先端側アーム２０３に取付けられた発光部を示し、符号２０５は眼科機器を示す。
【先行技術文献】
【特許文献】
【０００４】
【特許文献１】特許第２６７０４５２号公報
【特許文献２】特開２００４−３３２７７号公報
【発明の概要】
【発明が解決しようとする課題】
【０００５】
ところで、従来の固視灯装置の場合、各アームは１つの回転軸の周りだけを回転するように構成されていたので（図４(a) の矢印Ｍ１，Ｍ２参照）、発光部を移動させることができる範囲には限界があった。そのため、所望の位置に発光部を移動させようとしても、その位置に移動できないおそれがあった。例えば、図４(a)
に示すような装置の場合、紙面に垂直な方向に発光部１０４を少しだけ移動させようとしてもできない場合があった。
【０００６】
また、発光部の移動を自由かつ円滑にするため、各アームの回転角度（１つの回転軸の周りに回転させる場合の各アームの回転角度）には制限が無く自由にアームを回転させることができるように構成する場合は、前記発光部に電気を供給するためにアームの内部にある電線が切れてしまう問題を発生させないよう、関節部すべてを複雑な電気接点を使用した関節部にしなければならなかった。
【０００７】
本発明は、上述の問題を解消又は低減することができる眼科機器用固視灯装置を提供することを目的とするものである。
【課題を解決するための手段】
【０００８】
請求項１に係る発明は、図１及び図３に例示するものであって、眼科機器（２０）にて被検者に固視させるために使用される眼科機器用固視灯装置（１）において、
被検者に固視させるための発光部（２）と、
該発光部（２）を支持する第１アーム（Ａ１）と、
第１関節部（Ｃ１）を介して前記第１アーム（Ａ１）を揺動自在に支持する第２アーム（Ａ２）と、
該第２アーム（Ａ２）、前記第１関節部（Ｃ１）及び前記第１アーム（Ａ１）を介して前記発光部（２）を支持する基台（Ｂ）と、
を備え、
前記第１関節部（Ｃ１）は、前記第２アーム（Ａ２）に回転自在に支持されると共に前記第１アーム（Ａ１）を回転自在に支持する第１中継部（Ｄ１）を有し、
該第１中継部（Ｄ１）に対して回転する前記第１アーム（Ａ１）の回転軸（Ｅ１）と、前記第２アーム（Ａ２）に対して回転する前記第１中継部（Ｄ１）の回転軸（Ｅ２）とが、同一線上に配置されないように設定されたことを特徴とする。
【０００９】
請求項２に係る発明は、請求項１に係る発明において、前記第１中継部（Ｄ１）に対して回転する前記第１アーム（Ａ１）の回転軸（Ｅ１）が前記発光部（２）を通らないように設定されたことを特徴とする。
【００１０】
請求項３に係る発明は、請求項１又は２に係る発明において、前記第１アーム（Ａ１）が前記第１中継部（Ｄ１）に対して３６０度以上回転することを阻止するように該第１アーム（Ａ１）と該第１中継部（Ｄ１）との間に介装された第１ストッパ部材（不図示）と、
前記第１中継部（Ｄ１）が前記第２アーム（Ａ２）に対して３６０度以上回転することを阻止するように該第１中継部（Ｄ１）と該第２アーム（Ａ２）との間に介装された第２ストッパ部材（図２(b) の符号Ｋ２参照）と、を備えたことを特徴とする。
【００１１】
請求項４に係る発明は、請求項３に係る発明において、前記第１関節部（Ｃ１）とは異なる第２関節部（Ｃ２）を前記第２アーム（Ａ２）と前記基台（Ｂ）との間に配置し、
該第２関節部（Ｃ２）に、前記第２アーム（Ａ２）を回転自在に支持する第２中継部（Ｄ２）を設け、
前記基台（Ｂ）は、所定の軸の周りに３６０度以上回転できるように前記第２関節部（Ｃ２）を支持することを特徴とする。
【００１２】
請求項５に係る発明は、請求項１乃至３のいずれか１項に記載の発明において、前記第１関節部（Ｃ１）とは異なる第２関節部（Ｃ２）を介して前記第２アーム（Ａ２）を揺動自在に支持する第３アーム（Ａ３）、
を備え、
該第２関節部（Ｃ２）は、前記第３アーム（Ａ３）に回転自在に支持されると共に前記第２アーム（Ａ２）を回転自在に支持する第２中継部（Ｄ２）を有し、
該第２中継部（Ｄ２）に対して回転する前記第２アーム（Ａ２）の回転軸（Ｅ３）と、前記第３アーム（Ａ３）に対して回転する前記第２中継部（Ｄ２）の回転軸（Ｅ４）とが、同一線上に配置されないように設定されたことを特徴とする。
【００１３】
請求項６に係る発明は、請求項５に係る発明において、前記第２アーム（Ａ２）が前記第２中継部（Ｄ２）に対して３６０度以上回転することを阻止するように該第２アーム（Ａ２）と該第２中継部（Ｄ２）との間に介装された第３ストッパ部材（不図示）と、
前記第２中継部（Ｄ２）が前記第３アーム（Ａ３）に対して３６０度以上回転することを阻止するように該第２中継部（Ｄ２）と該第３アーム（Ａ３）との間に介装された第４ストッパ部材（不図示）と、を備えたことを特徴とする。
【００１４】
請求項７に係る発明は、請求項５又は６に記載の発明において、前記第３アーム（Ａ３）と前記基台（Ｂ）との間に配置された第３関節部（Ｃ３）、を備え、
該第３関節部（Ｃ３）は、前記第３アーム（Ａ３）を回転自在に支持する第３中継部（Ｄ３）を有し、
前記基台（Ｂ）は、所定の軸（Ｅ６）の周りに３６０度以上回転できるように前記第３関節部（Ｃ３）を支持することを特徴とする。
【００１５】
請求項８に係る発明は、請求項１乃至７のいずれか１項に記載の発明において、図２(a) に詳示するように、前記発光部（２）が、自身が発光する発光体（２Ａ）と、該発光体（２Ａ）を覆うように配置されて該発光体（２Ａ）からの光を拡散させて透過する拡散カバー（２Ｂ）と、を有することを特徴とする。
【００１６】
なお、括弧内の番号などは、図面における対応する要素を示す便宜的なものであり、従って、本記述は図面上の記載に限定拘束されるものではない。
【発明の効果】
【００１７】
請求項１，４及び８に係る発明によれば、前記第１アームは、少なくとも２つの回転軸を持つ第１関節部を介して揺動自在に支持されているので、前記発光部を移動させることができる範囲を従来装置よりも大きくでき、所望の位置に該発光部を移動させることができる。
【００１８】
請求項２に係る発明によれば、前記第１アームを前記第１中継部に対して回転させることで前記発光部を移動させることができる。
【００１９】
請求項３に係る発明によれば、前記発光部に電気を供給するために前記基台→前記第２アーム→前記第１アーム→前記発光部の経路で設けられた電線が切れてしまうことを回避できる。
【００２０】
請求項５に係る発明によれば、前記発光部を移動させることができる範囲をさらに大きくできる。
【００２１】
請求項６に係る発明によれば、前記電線が前記第２関節部において切れてしまうことを回避できる。
【００２２】
請求項７に係る発明によれば、発光部の位置のみならずその方向をも、自由にすることができる。
【図面の簡単な説明】
【００２３】
【図１】図１は、本発明に係る眼科機器用固視灯装置の構造の一例を示す断面図である。
【図２】図２(a) は、発光部の構造の一例を示す拡大断面図であり、同図(b) は、第１関節部の構造の一例を示す拡大断面図である。
【図３】図３は、本発明に係る眼科機器用固視灯装置の使用状態の一例を示す側面図である。
【図４】図４(a) は、眼科機器用固視灯装置の従来構造の一例を示す側面図であり、同図(b) は、眼科機器用固視灯装置の従来構造の他の例を示す側面図である。
【発明を実施するための形態】
【００２４】
以下、図１乃至図３に沿って、本発明の実施の形態について説明する。
【００２５】
本発明に係る眼科機器用固視灯装置は、図３に符号１で示すように、眼底撮影装置やスリットランプ等の眼科機器２０に使用される装置であって、被検者に固視させるために使用される装置である。
【００２６】
本発明に係る眼科機器用固視灯装置は、図１に符号１で例示するものであって、
・  被検者に固視させるための発光部２と、
・  該発光部２を支持する第１アームＡ１と、
・  第１関節部Ｃ１を介して前記第１アームＡ１を揺動自在に支持する第２アームＡ２と、
・  該第２アームＡ２、前記第１関節部Ｃ１及び前記第１アームＡ１を介して前記発光部２を支持する基台Ｂと、
を備えている。上述の発光部２は、さまざまな形状を採用することが出来るが、球状または正１２面体など、なるべく各方向に対称である形状のものが好ましく、さらに、前記第１アームＡ１の先端から出っ張らせておいて該第１アームＡ１の回転位置にかかわらず視認できるようにしておくと良い。また、該発光部２としては、図２(a) に詳示するように、自身が発光する発光体２Ａ（例えば、発光ダイオード（ＬＥＤ）や小型電球等）と、該発光体２Ａを覆うように配置されて該発光体２Ａからの光を拡散させて透過する拡散カバー２Ｂと、により構成したものを挙げることができる。さらに、第１アームＡ１や第２アームＡ２にパイプ部材を用いて軽量化すると良い。
【００２７】
また、前記第１関節部Ｃ１は、前記第２アームＡ２に回転自在に支持されると共に前記第１アームＡ１を回転自在に支持する第１中継部Ｄ１を有するようにすると良い。つまり、この第１中継部Ｄ１は、前記第１アームＡ１及び前記第２アームＡ２の両方にそれぞれ回転自在に接続されている。図示の第１中継部Ｄ１は、図２(b) に詳示するように、略円筒状の部分（以下、“キャップ部“とする）Ｄ１０を有していて、該キャップ部Ｄ１０が前記第２アームＡ２の先端部Ａ２０に回転自在な状態で嵌め込まれている。また、該第１中継部Ｄ１は椀状の部分Ｄ１１を有していて、同じく椀状の形状をした部分Ｆ１がリング部材（詳しくは、リング状をした樹脂製の部材）Ｇ１を介して回転自在に接続されている。該部分Ｆ１には前記第１アームＡ１が取付けられているので、該第１アームＡ１が前記第１中継部Ｄ１により回転自在に支持されることとなる。なお、符号Ｈ１で示す部材は、椀状の部分Ｆ１１の抜け止めのためのものである。
【００２８】
つまり、本発明における前記第１アームＡ１は回転軸Ｅ１の周りに回転できるように構成されると共に、他の回転軸Ｅ２の周りにも回転できるように構成されている。なお、該第１アームＡ１が３本以上の回転軸の周りに回転できるようにしても良い。
【００２９】
ところで、上述のように第１アームＡ１や第１中継部Ｄ１は回転自在に支持されているが、
・  所定以上の外力を加えた場合にだけ回転し、外力が所定以下の場合には静止するように構成しても、或いは、
・  外力を加えなくても該第１アームＡ１や第１中継部Ｄ１の自重だけで回転するように構成すると共に、該回転を阻止する機構を別途設けるようにしても、
どちらでも良い。
【００３０】
さらに、本発明に係る装置１においては、該第１中継部Ｄ１に対して回転する前記第１アームＡ１の回転軸Ｅ１と、前記第２アームＡ２に対して回転する前記第１中継部Ｄ１の回転軸Ｅ２とが、同一線上に配置されないように設定されている。例えば、これらの回転軸Ｅ１と回転軸Ｅ２とは図示のように直交するように設定すると良い。
【００３１】
本発明によれば、前記第１アームＡ１は、少なくとも２つの回転軸Ｅ１，Ｅ２を持つ第１関節部Ｃ１を介して揺動自在に支持されているので、前記発光部２を移動させることができる範囲を従来装置よりも大きくでき、所望の位置に該発光部２を移動させることができる。
【００３２】
この場合、該第１中継部Ｄ１に対して回転する前記第１アームＡ１の回転軸Ｅ１が前記発光部２を通らないように設定しておくと良い。そのように設定することにより、前記第１アームＡ１を前記第１中継部Ｄ１に対して回転させることで前記発光部２を移動させることができる。
【００３３】
一方、
・  前記第１アームＡ１が前記第１中継部Ｄ１に対して３６０度以上回転することを阻止するように該第１アームＡ１と該第１中継部Ｄ１との間に介装された第１ストッパ部材（不図示）と、
・  前記第１中継部Ｄ１が前記第２アームＡ２に対して３６０度以上回転することを阻止するように該第１中継部Ｄ１と該第２アームＡ２との間に介装された第２ストッパ部材Ｋ２と、
を設けておくと良い。このようなストッパ部材により前記第１アームＡ１が３６０度以上回転することを阻止できるので電線（前記発光部２に電気を供給するために前記基台Ｂ→前記第２アームＡ２→前記第１アームＡ１→前記発光部２の経路で設けられた電線）が切れてしまうことを回避できる。なお、図２(b) に詳示するように、パイプ部材にて形成された前記第２アームＡ２の先端部Ａ２０に切り欠きＡ２１が形成されており、ピン状の第２ストッパ部材Ｋ２が前記キャップ部Ｄ１０（つまり、前記第１中継部Ｄ１）に固定された状態で該切り欠き部Ａ２１に挿通されている。したがって、前記キャップ部Ｄ１０を前記第１アームＡ１等と共に回転軸Ｅ２の周りに回転させると、切り欠きＡ２１に挿通された状態の前記第２ストッパ部材Ｋ２も一体的に回転するが、該第１アームＡ１等の回転範囲（回転角）は切り欠きＡ２１が形成されている部分に限られることとなる。前記第１中継部Ｄ１の回転を阻止する機構としては様々なものが考えられるが、上述のような構成にすることで、装置をコンパクトかつ安価にすることができる。
【００３４】
ところで、前記第１ストッパ部材は、前記第１アームＡ１の３６０度以上の回転を阻止し、前記第２ストッパ部材Ｋ２は、前記第１中継部Ｄ１の１８０度以上の回転を阻止するようにしても良い。
【００３５】
一方、上述の第２アームＡ２を該基台Ｂに直接接続するのではなく、前記第１関節部（Ｃ１）とは異なる第２関節部（Ｃ２）を前記第２アーム（Ａ２）と前記基台（Ｂ）との間に配置し、該第２関節部（Ｃ２）に、前記第２アーム（Ａ２）を回転自在に支持する第２中継部（Ｄ２）を設けるようにし、さらに、前記基台（Ｂ）は、所定の軸の周りに３６０度以上回転できるように前記第２関節部（Ｃ２）を支持するようにすると良い。
【００３６】
また一方、上述の第２アームＡ２を該基台Ｂに直接接続するのではなく、図１に示すように第３アームＡ３を介して前記基台Ｂに接続するようにすると良い。その場合、該第３アームＡ３は、第２関節部Ｃ２（つまり、前記第１関節部Ｃ１とは異なる第２関節部）を介して前記第２アームＡ２を揺動自在に支持するようにすると良い。そして、この第２関節部Ｃ２は上述した第１関節部Ｃ１と同様の構造にすると良い。すなわち、前記第２関節部Ｃ２には、前記第３アームＡ３に回転自在に支持されると共に前記第２アームＡ２を回転自在に支持する第２中継部Ｄ２を設けておくと良い。また、該第２関節部Ｃ２には、
・  前記キャップ部Ｄ１０と同様の形状の部材
・  前記椀状の部分Ｄ１１と同様の形状の部材
・  前記椀状の部分Ｆ１と同様の形状の部材
・  前記リング状部材Ｇ１と同様の形状及び材質の部材
・  前記部材Ｈ１と同様の形状の部材
等を設けておくと良い。さらに、前記第２中継部Ｄ２に対して回転する前記第２アームＡ２の回転軸Ｅ３と、前記第３アームＡ３に対して回転する前記第２中継部Ｄ２の回転軸Ｅ４とが、同一線上に配置されないように設定しておくと良い。そのようにした場合には、前記発光部２を移動させることができる範囲をさらに大きくできる。
【００３７】
またさらに、
・  前記第２アームＡ２が前記第２中継部Ｄ２に対して３６０度以上回転することを阻止するように該第２アームＡ２と該第２中継部Ｄ２との間に介装された第３ストッパ部材（不図示）と、
・  前記第２中継部Ｄ２が前記第３アームＡ３に対して３６０度以上回転することを阻止するように該第２中継部Ｄ２と該第３アームＡ３との間に介装された第４ストッパ部材と、
を設けておくと良い。そのようにした場合には、前記第２関節部Ｃ２において電線（前記発光部２に電気を供給するために前記基台Ｂ→前記第２アームＡ２→前記第１アームＡ１→前記発光部２の経路で設けられた電線）が切れてしまうことを回避できる。
【００３８】
また、第３関節部Ｃ３を前記第３アームＡ３と前記基台Ｂとの間に介装し、該第３関節部Ｃ３には、前記第３アームＡ３を回転自在に支持する第３中継部Ｄ３を設けるようにしても良い。その場合、該第３関節部Ｃ３の回転軸は略水平方向の軸Ｅ５だけにしておいても良く、略鉛直方向の回転軸Ｅ６周りの回転は基台Ｂ自体で行うようにしても良い。その場合、該基台Ｂ内には上述のようなストッパ部材を設けず、回転形の電気接点を設けておいて、回転軸Ｅ６周りの３６０度以上の回転（前記第３関節部Ｃ３の回転）を許容するようにしても良い。このような構成により、発光部２の位置はもとよりその方向も、自由に移動、配置させることができるので、固視灯装置の操作性がさらに向上する。
【００３９】
なお、眼科機器２０にて被検者に固視させるために使用される眼科機器用固視灯装置において、
・  被検者に固視させるための発光部２と、
・  該発光部２を支持する第１アームＡ１と、
・  第１関節部Ｃ１を介して前記第１アームＡ１を揺動自在に支持する第２アームＡ２と、
・  該第２アームＡ２、前記第１関節部Ｃ１及び前記第１アームＡ１を介して前記発光部２を支持する基台Ｂと、
を備え、前記発光部２は、自身が発光する発光体２Ａと、該発光体２Ａを覆うように配置されて該発光体２Ａからの光を拡散させて透過する拡散カバー２Ｂと、を有するようにしても良い。上述の発光部２は、さまざまな形状を採用することが出来るが、球状または正１２面体など、なるべく各方向に対称である形状のものが好ましく、さらに、前記第１アームＡ１の先端から出っ張らせておいて該第１アームＡ１の回転位置にかかわらず視認できるようにしておくと良い。
【符号の説明】
【００４０】
１          眼科機器用固視灯装置
２          発光部
２０      眼科機器
Ａ１        第１アーム
Ａ２        第２アーム
Ａ３        第３アーム
Ｂ          基台
Ｃ１        第１関節部
Ｃ２        第２関節部
Ｃ３        第３関節部
Ｄ１        第１中継部
Ｄ２        第２中継部
Ｄ３        第３中継部
Ｅ１，Ｅ２，Ｅ３，Ｅ４          回転軸
Ｋ２        第２ストッパ部材
【図１】
0005567945.tif 000002
【図２】
0005567945.tif 000003
【図３】
0005567945.tif 000004
【図４】
0005567945.tif 000005